(57)【要約】【課題】従来技術の篩線を装備した構成では、湿材や高速作業で撓みが生じて篩選別が減退する。又、揺動選別体の終端部を枠体で閉ざした構成では、流穀板等に接触した穀粒が跳ね上がって損失を生じる。このような問題点を揺動選別体の終端部を開放した構成にし、堆積する２番物を連結部材で掻き落して連続供給が行えるようにした揺動選別装置の提供である。【解決手段】揺動選別体１の後方下部に支持軸２を設けて左右側板３を連結し、終端部から連結部材を除去した開放構造にするとともに該支持軸２を２番コンベヤ６よりも後方で、しかも、流穀板６１の上端より低い位置に設けて停滞する２番物を掻き落して詰まりを防ぎ、整備点検時には選別室８の後方カバー１０を取り外して、揺動選別体１の終端部全体を一気に確認できる揺動選別装置にしたものである。【選択図】      図１
2005006582.tif 000002
【特許請求の範囲】
【請求項１】
脱穀機の扱室と選別室の間に揺動選別装置を架設し、終端側を２番還元樋の上方まで延設して揺動自在の篩選別機構を設けた脱穀機の揺動選別装置において、揺動選別体（１）の後方下部に支持軸（２）を横設して左右側板（３ａ）、（３ｂ）を連結し、前記揺動選別体（１）の終端部を開放させたことを特徴とする脱穀機の揺動選別装置。
【請求項２】
左右側板（３ａ）、（３ｂ）を連結する支持軸（２）の配置を２番コンベヤ（６）よりも後方にするとともに、流穀板（６１）の上端より低い位置に設けたことを特徴とする請求項１に記載した脱穀機の揺動選別装置。
【請求項３】
選別室（８）の後面に脱着自在の後方カバー（１０）を設け、取外し操作でストローラック（１２）の下方を開放させたことを特徴とする請求項１又は、請求項２に記載した脱穀機の揺動選別装置。
【請求項４】
支持軸（２）の両軸端にローラ（４５）を設け、該ローラ（４５）を揺動運動させるガイド板（４７）を選別室（８）の側壁（４６）後方に対設したことを特徴とする請求項１、２又は請求項３に記載した脱穀機の揺動選別装置。
【発明の詳細な説明】
【０００１】
【発明の属する技術分野】
本発明は脱穀機の扱室と選別室の間に揺動選別装置を架設し、終端側を２番還元樋の上方まで延設して揺動自在の篩選別機構を張設した脱穀機の揺動選別装置に関するものである。
【０００２】
【従来の技術】
従来、扱室と選別室の間に揺動選別装置を装備した脱穀機において、揺動選別体の揺動運動に連動して上下動する篩線を終端部に設け、該揺動選別体を短く形成するとともに、２番物の回収空間に架設したクランク軸を２番コンベヤよりも前側の設置にしている（例えば特許文献１参照。）。他にも揺動選別体の駆動装置を前端に設け、側板の後方にコの字形のガイドレールを固着してロールを挟持させ、前記揺動選別体の後端を支持するとともに２番還元樋の上方に延設した篩線の上下動を増幅したものがある（例えば特許文献２参照。）。又、２番還元樋に流入させる流穀板を揺動選別体の枠体として装備し、該揺動選別体の後方を閉ざした該流穀板や枠体の裏面側にリンク機構を設け、機体側板で支持して揺動運動をさせるものが記載されている（例えば特許文献３参照。）。
【０００３】
【特許文献１】
特開平７−２５０５５７号公報  （第１―２頁、第２、３図）
【特許文献２】
特開平６−２３７６３６号公報  （第４頁、第４、８、１０図）
【特許文献３】
特開平８−８９０６９号公報  （第２−３頁、第２、３図）
【０００４】
【発明が解決しようとする課題】
従来技術である揺動選別体の後方に篩線を設けて終端側を開放した構成では、塵埃量が増加する高速作業や湿材等の重みで撓みが生じ、該篩線が選別機能を失い損失粒が発生したり、支持部から篩線の先端が離反して横揺れが増幅する等の弊害がある。又、揺動選別体を回収空間まで延設して終端部を枠体や流穀板で閉ざした構成では、板面に接触した穀粒が跳ね上がって損失を招き、２番還元樋との境界部では泥土が付着した２番物等が停滞してコンベヤ詰まりの原因になる。このような課題を解消するために、終端部を開放して軽量化した揺動選別体に単体の連結部材を設け、枠体の剛性を維持するとともに前記２番還元樋に堆積する２番物を該連結部材で掻き落してコンベヤに連続供給するようにした揺動選別装置の提供である。
【０００５】
【課題を解決するための手段】
扱室と選別室の間に揺動選別装置を架設し、終端側を２番還元樋の上方まで延設して揺動自在の篩選別機構を設け、選別室の上面を覆うとともに該揺動選別体の終端部を開放し、単体の連結部材を別途に設けた枠組み構造の揺動選別装置にしたものである。
【０００６】
揺動選別体の後方下部に支持軸を横設して左右側板を連結し、前記揺動選別体の終端部を開放させ、その後方の強度を該支持軸によって確保して揺動選別装置を軽量化する構成にした。
【０００７】
左右側板を連結する支持軸の配置を２番コンベヤよりも後方にするとともに、流穀板の上端より低い位置に設け、選別風を妨げない構成にしてある。
【０００８】
選別室の後面に脱着自在の後方カバーを設け、取外し操作でストローラックの下方を開放させ、揺動選別体の終端部と２番コンベヤ周辺の点検整備が同時に行える構成にしてある。
【０００９】
支持軸の両軸端にローラを設け、該ローラを揺動運動させるガイド板を選別室の側壁後方に対設し、揺動選別装置を脱着する際の案内と、支持軸を取っ手具に活用できる後方カバーに近い配置にしてある。
【００１０】
【発明の実施の形態】
揺動選別装置の枠組み構造には、選別室の長手方向に一体で形成するものと、良穀粒を回収する１番選別域３１と２番選別域３２に分割した揺動選別体１にするものがあるが、本発明は前者の一体形成した揺動選別体に係る構成であって、揺動選別体１の終端側を２番還元樋７の上方まで延設して揺動自在の篩選別機構を設け、従来技術に見られるように後方の流穀板や連結部材を除去した開放構造にしたものにおいて、２番物の回収空間５内に支持軸２を横設して左右側板３ａ、３ｂを連結させ、枠組み剛性を維持するとともに前記支持軸２を２番コンベヤ６の搬送側１３に近づけて、２番還元樋７との受継ぎ部１４で滞留する２番物を掻き落して連続供給ができる構成にしてある。又、選別室８に設けた後方カバー１０の脱着操作によって、ストローラック１２の下方に形成する回収空間５全体の整備点検を可能にした揺動選別装置の形態であって、前記した詳細の内容を以下の実施例で説明する。
【００１１】
【実施例】
本発明による脱穀機の揺動選別装置についてコンバインに搭載した脱穀機で説明すると、図４はコンバインの要部を断面した左側面図であって、全体構造の概要は、左右一対のクローラ走行装置１５に支持された機台１６上に脱穀部Ｂを搭載し、前方に昇降自在の刈取部Ａを装着して刈高さ調節を行ないながら刈刃１７で植立穀稈を切断し、継設する揚上搬送装置で前記脱穀部Ｂに張設したフィードチェン１８の始端側に受継ぎ、供給口２０から扱歯２１を植設した扱胴２２に搬送穀稈を供給して脱粒処理を行い、脱粒後の排稈を機体の終端まで斜設した排藁チェン２３で後送してカッター２５に投入し、細断しながら機体後方に放出するコンバインの搬送経路にしたものである。尚３６は、穀稈を挟持搬送するフィードチェン１８に押圧した挟扼台である。
【００１２】
脱穀した扱卸物の選別経路は、扱歯２１で脱粒した穀粒と未処理物が受け網２７から漏下して扱卸物となり、前後に揺動運動をする揺動選別体１上に落下して篩選別を受けながら連設したチャフシーブ３０の始端側に送穀され、単粒化した穀粒を分離して一番回収域３１に集穀する経路と、枝梗付着粒と少量の単粒が混在する未処理物を後方に連設したストローラック１２に受継ぎ、揺動運動にともなう篩選別によって回収空間５に２番物を落下させ、２番コンベヤ６で収集して揚穀装置５５を介し揺動選別装置に還元する搬送経路にしてあり、藁屑等の塵埃は選別室８の前方に設けたファン３３で起風した選別風によって矢印イ方向に吹き飛ばし、機体の後方に設けた吸引ファン１１で機外に放出する選別経路にしたものである。
【００１３】
このような揺動選別体の駆動構造を図５に示す揺動選別体の平面図と図４の側面図を併用して説明すると、揺動選別体１の前端部にアーム３７を設けて選別枠３８から揺動自在に吊り下げ、該選別枠３８から延設した据付台４０上に駆動軸４１を回転自在に支持し、固着した偏心カム４２に嵌入するロッド４３を介して前記アーム３７と連結させ、前記駆動軸４１に入力した回転にともなうクランク運動を揺動選別体１の前側から伝達させる駆動装置にしたものである。
【００１４】
一方、揺動選別体１の後端を支持する構造を図２の選別室を断面した後面図と図１の拡大図を併用して説明すると、左右側板３ａ、３を連結した支持軸２を揺動選別体１の後方下部に横設し、両側に突出した軸端にローラ４５を回転自在に嵌着させ、本機側の両側壁４６にレール状のガイド板４７を溶着して該ローラ４５を挟持し、矢印ロの方向に摺動する支持構造にしてあり、前記側壁４６と左右側板３ａ、３ｂの隙間に設置した揺動選別装置の構成である。
【００１５】
図１の左側面図で揺動選別装置と選別室の構成を説明すると、扱室２６の前下方と対向する揺動選別体１の始端側に無孔のフィードパン４８を配置し、角度調節が行えるフィン５０群で形成したチャフシーブ３０を連設して揺動選別を行い、粗選別された扱卸物を下側に設けたグレンシーブ５２で受止め、選別室８の前方に装備したファン３３の選別風と揺動運動によって穀粒を分離し、良穀粒をコンベヤ樋５６に回収して１番コンベヤ５３で機外に搬出するものである。又、未処理物が混在する扱卸物が回収空間５の上方に設けたストローラック１２に受継がれ、送塵と攪拌を行いながら塵埃を吸引ファン１１に誘導して後方に排出する選別経路にしたものである。
【００１６】
図１の拡大図と図２の後面図に図３の揺動選別体の斜視図を併用して終端部を開放した該揺動選別装置の構成について説明すると、揺動選別体１の後端を２番還元樋７の上方まで延設してストローラック１２を設け、回収空間５に落下させた２番物が直接２番コンベヤ６に回収されるようにした終端部の構成であり、従来技術に見られるような流穀板や連結部材を該揺動選別体１の後方から除去し、終端部を開放するとともに左右側板３ａ、３ｂを連結する支持軸２を前記回収空間５内に別途横設して、軽量化された揺動選別装置の後端強度を補う枠組み構造にしたものである。
【００１７】
このような支持軸２の設置箇所を２番コンベヤ６の搬送側１３に近づけた回収空間５の下方に設け、１番回収域３１に穀粒を誘導する流穀板６１の上端よりも低い位置に横設して、選別風の作用を回避させて長藁等の引っ掛りを防止するとともに、２番還元樋７との受継ぎ部１４に滞留する２番物を前記支持軸２の揺動運動で掻き落し、２番コンベヤ６に連続した供給を可能にしたものである。又、２番還元樋７と後方カバー１０で漏斗状に形成した該回収空間５に２番物が直接回収され、選別室８の外側で２番コンベヤ６と連結する揚穀装置５５によって、フィードパン４８上に還元する再選別構造にし、湿材や還元量が増加する高速作業に適合させた２番物の回収構造にしたものである。
【００１８】
揺動選別体１の終端部を臨ませた回収空間５を開放するために、選別室８の後面を塞いだ後方カバー１０を矢印ハ方向に取り外し、ストローラック１２の下方と２番コンベヤ６が剥き出しになった回収空間５が開放され、巻付きや堆積物が生じた異常状態の確認と、整備点検が広範囲に行えるようにした揺動選別体１の開放構造である。しかも、前記揺動選別体１を後方に取り出す分解作業においても、左右側板３ａ、３ｂを連結した支持軸２が該回収空間５に突設され、しかも、後方カバー１０に近づけた配置にしたので取っ手具として活用でき脱着の労力が軽減するものである。
【００１９】
図３は揺動選別装置の後方を示す斜視図であって、揺動選別体１の左右側番３ａ、３ｂを連結する別途の部材について説明すると、回収空間５の下方には横設した支持軸２以外の連結部材は設置せず、鋸刃状のストローラック１２を数列固着した台座６０を１番回収域３１の後端に架設したものと、１番コンベヤ樋５６に対して揺動する流穀板６１を前記左右側板３ａ、３ｂの下部に溶着したものが連結部材であるが、何れも該回収空間５よりも前側の１番回収域３１に配置されており、終端部の開放を妨げない枠組み構造にしたものである。
【００２０】
【発明の効果】
揺動選別体の後方を連結する枠体や流穀板を除去した開放構造にし、支持軸だけで軽量化にともなう揺動選別体後方の強度を維持させ、横揺れや捻じれを防止するとともに、湿材等で発生する異常現象の確認と整備点検を行い易くした揺動選別装置にしたので、以下に掲げるような効果を発揮するものである。
【００２１】
揺動選別体の後方下部に支持軸を横設して左右側板を連結し、前記揺動選別体の終端部を開放させたので、後方の強度を該支持軸によって確保でき揺動選別装置の軽量化が可能になり、しかも、亀裂等が防止されるとともに後端まで延長した枠組み構造の前後端が支持され、揺動選別体の強度が向上して横揺れや捻じれの発生が減少した。
【００２２】
左右側板を連結する支持軸の配置を２番コンベヤよりも後方にするとともに、流穀板の上端より低い位置に設けて選別風を妨げない構成にしたので、泥土や水滴が付着した２番物の堆積を支持軸の揺動運動で掻き落し、２番コンベヤに連続した供給が行え巻き付きや詰まりが防止できた。
【００２３】
選別室の後面に脱着自在の後方カバーを設け、取外し操作でストローラックの下方を開放させ、揺動選別体の終端部と２番コンベヤ周辺の点検整備が同時に行える構成にしたので、異常箇所の修復や整備点検が広範囲に渡り容易に行えるようになった。
【００２４】
支持軸の両軸端にローラを設け、該ローラを揺動運動させるガイド板を選別室の側壁後方に対設し、揺動選別装置を脱着する際の案内と、支持軸を取っ手具に活用できる後方カバーに近い配置にしたので、整備点検時の挿脱が容易に行え作業労力が軽減できた。
【図面の簡単な説明】
【図１】要部を断面した選別室の拡大図である。
【図２】選別室を断面した後面図である。
【図３】揺動選別体の後方を示す斜視図である。
【図４】コンバインの要部を断面した左側面図である。
【図５】揺動選別装置の平面図である。
【符号の説明】
Ａ・・刈取部          Ｂ・・脱穀部
１・・揺動選別体      ２・・支持軸            ３・・左右側板
５・・回収空間        ６・・２番コンベヤ      ７・・２番還元樋
８・・選別室        １０・・後方カバー      １１・・吸引ファン
１２・・ストローラック１３・・搬送側          ３０・・チャフシーブ
３１・・１番回収域    ３２・・２番回収域      ３３・・ファン
３７・・アーム        ３８・・選別枠          ４０・・据付台
４１・・駆動軸        ４２・・偏心カム        ４３・・ロッド
４５・・ローラ        ４６・・側壁            ４７・・ガイド板
４８・・フィードパン  ５０・・フィン          ５２・・グレンシーブ
５３・・１番コンベヤ  ５６・・コンベヤ樋      ６０・・台座
６１・・流穀板
矢印イ・・選別風の流れる風向
矢印ロ・・揺動運動をする支持軸の摺動方向
矢印ハ・・後方カバーの取り外し方向
【図１】
2005006582.tif 000003
【図２】
2005006582.tif 000004
【図３】
2005006582.tif 000005
【図４】
2005006582.tif 000006
【図５】
2005006582.tif 000007